(57)【要約】【課題】複数の対象物それぞれに付帯された無線タグを一括して読み取る無線タグリーダを搭載した携帯端末等を提供する。【解決手段】携帯端末は、利用者による所望対象物の無線タグに対する操作によって当該対象物を特定するために、読み取れた無線タグのタグＩＤを、時系列に記録するタグＩＤ記録手段と、第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する対象タグ判定手段とを有する。また、対象タグ判定手段は、第１の所定時間範囲で読み取れ、次の第２の所定時間範囲で読み取れず、次の第３の所定時間範囲で読み取れたか、又はその逆の場合に、当該タグＩＤに基づく対象物が、当該利用者によって選択されたものと判定する。【選択図】図２
2015138533.tif 000002
【特許請求の範囲】
【請求項１】
複数の対象物それぞれに付帯された無線タグを一括して読み取る無線タグリーダを搭載した携帯端末において、
利用者による所望対象物の無線タグに対する操作によって当該対象物を特定するために、
読み取れた無線タグのタグＩＤを、時系列に記録するタグＩＤ記録手段と、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する対象タグ判定手段と
を有することを特徴とする携帯端末。
【請求項２】
前記対象タグ判定手段は、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ことを特徴とする請求項１に記載の携帯端末。
【請求項３】
前記タグＩＤ記録手段は、読み取れた無線タグのタグＩＤ毎に、応答波の電波品質を更に時系列に記録するものであり、
前記対象タグ判定手段は、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ことを特徴とする請求項１又は２に記載の携帯端末。
【請求項４】
前記電波品質は、受信電波強度であって、利用者による所望対象物の無線タグに対する遮断／移動操作を判定することを特徴する請求項３に記載の携帯端末。
【請求項５】
前記無線タグリーダ及び無線タグは、ＵＨＦ(Ultra High Frequency)帯のパッシブ型ＲＦＩＤ(Radio Frequency IDentification)に基づくものである
ことを特徴とする請求項１から４のいずれか１項に記載の携帯端末。
【請求項６】
複数の対象物それぞれに付帯された無線タグを一括して読み取る無線タグリーダに搭載された携帯端末に含まれるコンピュータを機能させるプログラムにおいて、
利用者による所望対象物の無線タグに対する操作によって当該対象物を特定するために、
読み取れた無線タグのタグＩＤを、時系列に記録するタグＩＤ記録手段と、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する対象タグ判定手段と
してコンピュータを機能させることを特徴とするプログラム。
【請求項７】
前記対象タグ判定手段は、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ようにコンピュータを機能させることを特徴とする請求項６に記載のプログラム。
【請求項８】
前記タグＩＤ記録手段は、読み取れた無線タグのタグＩＤ毎に、応答波の電波品質を更に時系列に記録するものであり、
前記対象タグ判定手段は、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ようにコンピュータを機能させることを特徴とする請求項６又は７に記載のプログラム。
【請求項９】
前記電波品質は、受信電波強度であって、利用者による所望対象物の無線タグに対する遮断／移動操作を判定する
ようにコンピュータを機能させることを特徴する請求項６から８のいずれか１項に記載のプログラム。
【請求項１０】
複数の対象物それぞれに付帯された無線タグを一括して読み取る無線タグリーダを搭載した携帯端末の無線タグ読取方法において、
利用者による所望対象物の無線タグに対する操作によって当該対象物を特定するために、
読み取れた無線タグのタグＩＤを、時系列に記録する第１のステップと、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する第２のステップと
を有することを特徴とする無線タグ読取方法。
【請求項１１】
第２のステップは、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ことを特徴とする請求項１０に記載の無線タグ読取方法。
【請求項１２】
第１のステップは、読み取れた無線タグのタグＩＤ毎に、応答波の電波品質を更に時系列に記録するものであり、
第２のステップは、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ことを特徴とする請求項１０又は１１に記載の無線タグ読取方法。
【請求項１３】
前記電波品質は、受信電波強度であって、利用者による所望対象物の無線タグに対する遮断／移動操作を判定することを特徴する請求項１２に記載の無線タグ読取方法。
【発明の詳細な説明】
【技術分野】
【０００１】
本発明は、無線タグを読み取る無線タグリーダ（読取装置）の技術に関する。
【背景技術】
【０００２】
近年、ＩｏＴ(Internet Of Things)やＩｏＥ(Internet Of Everything)と称されるサービスが注目されてきている。これは、従来のネットワークに接続されていなかった「モノ」（例えばボールペン１本）までもネットワークに接続することによって、付加価値を提供することができる。この技術によれば、ネットワークシステムが、膨大に存在する「モノ」を安価に管理することが必要となる。それら「モノ」に付帯可能な通信デバイスとして、例えばＵＨＦ(Ultra High Frequency)帯（例えば９２０ＭＨｚ）を用いたパッシブ型ＲＦＩＤ(Radio Frequency IDentification)タグが代表的に用いられる。
【０００３】
無線タグ（パッシブ型ＲＦＩＤタグ）は、電源デバイスや通信デバイスを搭載することなく、無線タグリーダ（ＲＦＩＤリーダ・ライタ）からの送信波を電力に変換して動作する。代表的なものとして、FeliCa技術を用いたSuica（登録商標）カードがあり、10cm程度の読取距離を実現している。これに対し、例えばＵＨＦ帯を用いることによって、その読取距離を最大数ｍ程度と長くし、空間に多数存在する「モノ」に付帯された無線タグを一括して読み取ることもできる（例えば非特許文献１参照）。
【０００４】
図１は、従来の無線タグリーダを搭載した携帯端末の使用状態を表す説明図である。
【０００５】
図１によれば、例えばスマートフォンやタブレットのような携帯端末１に、無線タグリーダ１０が搭載されている。また、室内には、多数の対象物「モノ」が存在し、それぞれに無線タグ２が付帯されている。無線タグ２は、例えばテレビやオーディオ機器、リモコン、カメラ、パソコン等の電気機器に限られず、パスポートや年金手帳、印鑑、鍵、メガネ等の様々な対象物に付帯することができる。携帯端末の無線タグリーダ１０は、その室内の対象物全ての無線タグ２を一括して読み取ることができる。
【先行技術文献】
【非特許文献】
【０００６】
【非特許文献１】UHF Class 1 Gen 2 Standard v. 2.0.0、[online]、［平成２６年１月１３日検索］、インターネット＜URL:http://www.gs1.org/sites/default/files/docs/uhfc1g2/uhfc1g2_2_0_0_standard_20131101.pdf＞
【非特許文献２】Bluetooth SIG(Special Interest Group)、[online]、［平成２６年１月１３日検索］、インターネット＜URL:https://www.bluetooth.org/apps/content/＞
【非特許文献３】WPS(Wi-Fi Protected Setup) Wi-Fi Alliance、[online]、［平成２６年１月１３日検索、インターネット＜URL:http://www.wi-fi.org/file/wi-fi-certified-wi-fi-protected-setup%E2%84%A2-easing-the-user-experience-for-home-and-small-office-wi＞
【非特許文献４】AOSS(AirStation One-Touch Secure System)、[online]、［平成２６年１月９日検索、インターネット＜URL:http://buffalo.jp/aoss/useful.html＞
【発明の概要】
【発明が解決しようとする課題】
【０００７】
無線タグリーダは、多数の無線タグを一括して読み取ることができるが、読み取ったタグＩＤが、何れの対象物に付帯したものなのか？を特定することが難しい。
【０００８】
ここで、携帯端末を所持する利用者が、カメラに付帯された無線タグに特定情報（例えば対象物名称や利用者情報）を書き込むことを想定する。このとき、利用者は、携帯端末によって一括して読み取られた多数のタグＩＤの中から、カメラに付帯された無線タグのタグＩＤを識別する必要がある。勿論、例えば工場出荷時に、カメラの無線タグに「カメラ」と書き込まれている場合、利用者は、読み取ったデータの中から「カメラ」を認識することができるが、全ての対象物に予め、特定情報を書き込んでおくことはできない。
【０００９】
図１によれば、携帯端末に搭載された無線タグリーダは、周辺に存在する多数の無線タグのタグＩＤを一括して読み取っているが、対象物名まで特定できていない。結果的に、利用者は、多数の無線タグのタグＩＤの中から、自ら所望する対象物のタグＩＤを何らかの方法で認識しない限り、その無線タグにデータを書き込むこともできない。
【００１０】
他の通信技術によれば、多数のデバイスが存在する中で、特定のデバイス間で関連付け（ペアリング）する技術もある。例えばBluetooth（登録商標）や無線ＬＡＮを設定する際に、特定の対象機器を識別することができる（例えば非特許文献２参照）。この技術によれば、ペアリングの対象となるBluetoothデバイスを特定するために、例えばボタン等を押下し、その後一定時間のみペアリング可能な状態にすることができる。また、同時にボタンが押下されたデバイスとの間でのみ通信設定を実行することで、設定操作を簡略化する技術もある（例えば非特許文献３及び４参照）。しかしながら、パッシブ型の無線タグは、極小のシールのようなものであって、電源デバイスや通信デバイスさえも搭載しておらず、ボタン等を実装することも難しい。
【００１１】
そこで、本発明は、複数の対象物それぞれに付帯された無線タグを一括して読み取ると共に、利用者による所望対象物の無線タグを特定することができる携帯端末、プログラム及び方法を提供することを目的とする。
【課題を解決するための手段】
【００１２】
本発明によれば、複数の対象物それぞれに付帯された無線タグを一括して読み取る無線タグリーダを搭載した携帯端末において、
利用者による所望対象物の無線タグに対する操作によって当該対象物を特定するために、
読み取れた無線タグのタグＩＤを、時系列に記録するタグＩＤ記録手段と、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する対象タグ判定手段と
を有することを特徴とする。
【００１３】
本発明の携帯端末における他の実施形態によれば、
対象タグ判定手段は、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ことも好ましい。
【００１４】
本発明の携帯端末における他の実施形態によれば、
タグＩＤ記録手段は、読み取れた無線タグのタグＩＤ毎に、応答波の電波品質を更に時系列に記録するものであり、
対象タグ判定手段は、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ことも好ましい。
【００１５】
本発明の携帯端末における他の実施形態によれば、
電波品質は、受信電波強度であって、利用者による所望対象物の無線タグに対する遮断／移動操作を判定することも好ましい。
【００１６】
本発明の携帯端末における他の実施形態によれば、
無線タグリーダ及び無線タグは、ＵＨＦ(Ultra High Frequency)帯のパッシブ型ＲＦＩＤ(Radio Frequency IDentification)に基づくものであることも好ましい。
【００１７】
本発明によれば、複数の対象物それぞれに付帯された無線タグを一括して読み取る無線タグリーダに搭載された携帯端末に含まれるコンピュータを機能させるプログラムにおいて、
利用者による所望対象物の無線タグに対する操作によって当該対象物を特定するために、
読み取れた無線タグのタグＩＤを、時系列に記録するタグＩＤ記録手段と、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する対象タグ判定手段と
してコンピュータを機能させることを特徴とする。
【００１８】
本発明のプログラムにおける他の実施形態によれば、
対象タグ判定手段は、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ようにコンピュータを機能させることも好ましい。
【００１９】
本発明のプログラムにおける他の実施形態によれば、
タグＩＤ記録手段は、読み取れた無線タグのタグＩＤ毎に、応答波の電波品質を更に時系列に記録するものであり、
対象タグ判定手段は、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ようにコンピュータを機能させることも好ましい。
【００２０】
本発明のプログラムにおける他の実施形態によれば、
電波品質は、受信電波強度であって、利用者による所望対象物の無線タグに対する遮断／移動操作を判定する
ようにコンピュータを機能させることも好ましい。
【００２１】
本発明によれば、複数の対象物それぞれに付帯された無線タグを一括して読み取る無線タグリーダを搭載した携帯端末の無線タグ読取方法において、
利用者による所望対象物の無線タグに対する操作によって当該対象物を特定するために、
読み取れた無線タグのタグＩＤを、時系列に記録する第１のステップと、
第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する第２のステップと
を有することを特徴とする。
【００２２】
本発明の無線タグ読取方法における他の実施形態によれば、
第２のステップは、当該タグＩＤが
第１の所定時間範囲で読み取れ、次の第２の所定時間範囲で読み取れず、次の第３の所定時間範囲で読み取れたか、又は、
第１の所定時間範囲で読み取れず、次の第２の所定時間範囲で読み取れ、次の第３の所定時間範囲で読み取れなかった場合に、
当該タグＩＤに基づく対象物が、当該利用者によって選択されたものと判定する
ことも好ましい。
【００２３】
本発明の無線タグ読取方法における他の実施形態によれば、
第１のステップは、読み取れた無線タグのタグＩＤ毎に、応答波の電波品質を更に時系列に記録するものであり、
第２のステップは、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する
ことも好ましい。
【００２４】
本発明の無線タグ読取方法における他の実施形態によれば、
電波品質は、受信電波強度であって、利用者による所望対象物の無線タグに対する遮断／移動操作を判定することも好ましい。
【発明の効果】
【００２５】
本発明の携帯端末、プログラム及び方法によれば、複数の対象物それぞれに付帯された無線タグを一括して読み取ると共に、利用者による所望対象物の無線タグを特定することができる。
【図面の簡単な説明】
【００２６】
【図１】従来の無線タグリーダを搭載した携帯端末の使用状態を表す説明図である。
【図２】本発明の無線タグリーダを搭載した携帯端末の使用状態を表す説明図である。
【図３】本発明における第１のシーケンス図である。
【図４】本発明における第２のシーケンス図である。
【図５】本発明における対象物に対する利用者の操作を表す説明図である。
【図６】本発明における携帯端末の機能構成図である。
【図７】利用者の遮断操作の前後における受信電波強度の変化を表すグラフである。
【図８】利用者の移動操作の前後における受信電波強度の変化を表すグラフである。
【発明を実施するための形態】
【００２７】
以下、本発明の実施の形態について、図面を用いて詳細に説明する。
【００２８】
図２は、本発明の無線タグリーダを搭載した携帯端末の使用状態を表す説明図である。
【００２９】
図２によれば、図１と同様に、携帯端末１に、ＵＨＦ帯の無線タグリーダ（ＲＦＩＤリーダ・ライタ）１０が搭載されている。また、当該携帯端末１の周辺に存在する多数の対象物それぞれには、パッシブ型の無線タグ（ＲＦＩＤタグ）２が付帯されている。無線タグリーダ１０は、通信可能な対象物全ての無線タグ２を、一括して読み取ることができる。
【００３０】
本発明によれば、利用者が、所望対象物の無線タグ２に対して操作（遮蔽／移動）をすることによって、無線タグリーダ１０を搭載した携帯端末１は、当該対象物を特定することができる。無線タグリーダ１０は、その操作の際における、無線タグ２との間の読み取りの可否又は電波品質の変化を検知し、そのタグＩＤを特定する。携帯端末１は、特定したタグＩＤをディスプレイに表示することによって、利用者に視認させることができる。
【００３１】
図３は、本発明における第１のシーケンス図である。
【００３２】
携帯端末１の無線タグリーダ１０は、無線タグ２毎に、送信波を送信し、タグＩＤを含む応答波を受信する。
【００３３】
無線タグリーダ１０は、ＵＨＦ帯の送信波として、プリアンブルの電波を送信した後、READコマンドを変調した電波と、無変調のキャリアの電波とを送信する。無線タグ２は、整流回路を内蔵し、無線タグリーダ１０から受信した送信波を整流することによって直流を得て、それを電源として動作する。無線タグ２は、無線タグリーダ１０から受信したプリアンブルの電波によって初期動作に必要な電力を蓄積する。その後、無線タグ２は、READコマンドを含む電波を復調する。そして、無線タグ２は、無変調のキャリアの電波の反射波に、タグＩＤを乗せた応答波を返信する。
【００３４】
また、無線タグリーダ１０は、複数の無線タグ２から一括して読み取る「アクセスメソッド」方式を採用する。これは、数十ｍ秒〜数百ｍ秒で１つの無線タグを読み取ることができ、空間・周波数分割又は時間分割による衝突回避（アンチコリジョン）が実行される。読み取る順番は、無線タグのタグＩＤの文字列順や乱数順の方式がある。これによって、無線タグリーダは、複数の無線タグに対しても、相互干渉を防止して一括して読み取ることができる。
【００３５】
尚、無線タグリーダ１０が無線タグ２へ送信波を送信開始するタイミングは、携帯端末１の読み取り開始ボタンに対する利用者のタップ操作に基づくものであってもよい。
【００３６】
（ステップ１：Ｓ１）携帯端末１は、読み取れた無線タグのタグＩＤを、時系列に記録する。
［タグＩＤ］->［受信時刻］
【００３７】
（ステップ２：Ｓ２）携帯端末１は、第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する。所定時間範囲を、例えば５秒間とした場合、先の５秒間で読み取れたタグＩＤ群と、後の５秒間で読み取れたタグＩＤ群とが比較される。
【００３８】
例えば、利用者は、所望対象物の無線タグ部分に遮蔽物をかざすことによって、無線タグを読み取れないように操作する。逆に、利用者は、所望対象物を机や金属製容器から取り出すことによって、無線タグを読み取れるように操作する。このように、携帯端末と所望対象物が近い場合、利用者は手元で対象物を操作することができる。携帯端末１は、その対象物の無線タグが読み取れたり読み取れなかったりすることによって、利用者が操作したものと判定する。
【００３９】
また、更なる実施形態として、携帯端末１は、以下のいずれかの場合に、当該タグＩＤに基づく対象物が、当該利用者によって選択されたものと判定するものであってもよい。
（例１）第１の所定時間範囲    ->読み取れた
次の第２の所定時間範囲->読み取れなかった
次の第３の所定時間範囲->読み取れた
（例２）第１の所定時間範囲    ->読み取れなかった
次の第２の所定時間範囲->読み取れた
次の第３の所定時間範囲->読み取れなかった
これによって、その対象物の無線タグ２に対して、利用者が遮断操作をしたと判定することができる。
【００４０】
図４は、本発明における第２のシーケンス図である。
【００４１】
（ステップ１：Ｓ１）携帯端末１は、受信したタグＩＤ毎に、応答波の「電波品質」を時系列に記録する。電波品質としては、例えば「受信電波強度」（ＲＳＳＩ(Received Signal Strength Indication)）がある。
［タグＩＤ］->
［受信時刻］
［受信電波強度］
無線タグリーダにおける応答波の受信電力（dBm）
（又は、無線タグにおける送信波の受信電力が、応答波に含められたもの
であってもよい）
【００４２】
この処理を周期的に繰り返し実行することによって、タグＩＤ毎の電波品質が時系列に記録されていく。図２によれば、当該対象物に対して、利用者の操作前の電波品質と、利用者の操作後の電波品質とが記録されていればよい。
【００４３】
（ステップ２：Ｓ２）携帯端末１は、タグＩＤ毎に、先に取得した電波品質と、後に取得した電波品質との間で、所定閾値以上の差を検出した際に、当該タグＩＤに基づく対象物が、当該利用者によって選択されたものと判定する。ここでは、同一のタグＩＤについて、異なる時刻に取得された電波品質同士を比較する。
【００４４】
先に取得した応答波の受信時刻と、後に取得した応答波の受信時刻との時間差が所定時間間隔（例えば５秒間）に設定されている。これによって、時間経過に応じて連続的に比較することができる。例えば以下のようなパターンがある。
先に取得した受信電波強度（例えば５秒前の電波品質）
後に取得した受信電波強度（例えば現時刻の電波品質）
※利用者は、所望対象物を操作直後に、携帯端末で当該対象物を確認することがで
きる。例えば携帯端末と所望対象物が近い場合、利用者は手元で対象物を操作す
ることができる。
【００４５】
また、判定のための所定閾値は、電波品質に応じて異なるものであってもよい。
受信電波強度：所定閾値10dBm
受信電波強度の差が、例えば所定閾値10dBm以上発生した場合、
当該タグＩＤに基づく対象物に対して、利用者が操作をしたものと判定する。
【００４６】
図５は、本発明における対象物に対する利用者の操作を表す説明図である。
【００４７】
図５（ａ）によれば、利用者は、所望対象物の無線タグ部分に対して、金属板等の物を用いて「遮蔽」操作をする。この操作によって、無線タグリーダ１０から見て、当該無線タグ２が読み取れなくなり、当該対象物を特定することができる。
図５（ｂ）によれば、利用者は、所望対象物の無線タグ部分に対して、手などの身体の一部を用いて「遮蔽」操作をする。この操作によって、無線タグリーダ１０から見て、当該無線タグ２に対する受信電波強度が低下し、当該対象物を特定することができる。
図５（ｃ）によれば、利用者は、無線タグリーダとの間の距離を変更するべく、所望対象物に対する移動操作をする。距離を遠ざけた場合、無線タグリーダ１０から見て、当該無線タグ２に対する受信電波強度が低下し、当該対象物を特定することができる。
そして、携帯端末１は、特定したタグＩＤをディスプレイに表示することによって、利用者に視認させることができる。
【００４８】
図６は、本発明における携帯端末の機能構成図である。
【００４９】
例えばスマートフォンやタブレットのような携帯端末１は、無線タグリーダ１０と、タグＩＤ記録部１１と、対象タグ判定部１２とを有する。タグＩＤ記録部１１及び対象タグ判定部１２の機能構成部は、携帯端末１に搭載されたコンピュータを機能させるプログラムを実行することによって実現される。
【００５０】
無線タグリーダ１０は、アンテナ及びタグＩＤ読取部を含む。タグＩＤ読取部は、無線タグ毎に、送信波を送信し、タグＩＤを含む応答波を受信する。そして、タグＩＤ読取部は、タグＩＤ毎に少なくとも受信時刻を、タグＩＤ記録部１１へ出力する。また、タグＩＤ読取部は、更にその電波品質（受信電波強度）を、タグＩＤ記録部１１へ出力するものであってもよい。
【００５１】
［タグＩＤ記録部１１］
タグＩＤ記録部１１は、読み取れた無線タグのタグＩＤ毎に少なくとも受信時刻を、時系列に記録する。また、タグＩＤ記録部１１は、それらタグＩＤ毎に、応答波の電波品質を更に時系列に記録するものであってもよい。
【００５２】
［対象タグ判定部１２］
対象タグ判定部１２は、第１の所定時間範囲で読み取れたタグＩＤ群と、次の第２の所定時間範囲で読み取れたタグＩＤ群とを比較し、一方でのみ読み取れたタグＩＤに基づく対象物が、当該利用者によって選択されたものと判定する。
【００５３】
更なる実施形態として、対象タグ判定部１２は、第１の所定時間範囲と次の第２の所定時間範囲との両方で読み取れたタグＩＤについて、タグＩＤ毎に、先に取得した応答波の電波品質と、後に取得した応答波の電波品質との間で、所定閾値以上の差を検出した際に、当該タグＩＤに基づく対象物が、当該利用者によって選択されたものと更に判定する。そして、特定したタグＩＤは、アプリケーションへ出力される。アプリケーションは、携帯端末１のディスプレイに、特定したタグＩＤを明示することによって、利用者に視認させることができる。
【００５４】
［実施例：受信電波強度の変化を表すデータ］
本発明によれば、利用者が、対象物の無線タグに対して遮断／移動操作をすることによって、応答波の受信電波強度が変化することを検知する。ここで、受信電波強度の変化について、以下のような無線タグリーダの仕様に基づいた実験データを開示する。
無線タグリーダの電波出力：250mW
ＵＨＦ周波数帯域        ：916.8MHz〜920.8MHz
【００５５】
図７は、利用者の遮断操作の前後における受信電波強度の変化を表すグラフである。
【００５６】
図７によれば、無線タグリーダから無線タグまでの距離は、およそ20cmとする。また、利用者は、遮断操作として、無線タグを手で覆い、手と無線タグとの間に0.5〜1cm程度の隙間があったとする。このとき、図７からも明らかなとおり、受信電波強度で約25dBm程度の差が検知される。この差分を検知することによって、利用者が遮断操作をした対象物を特定することができる。
【００５７】
図８は、利用者の移動操作の前後における受信電波強度の変化を表すグラフである。
【００５８】
図８によれば、無線タグリーダから無線タグまでの距離は、10cm〜70cmの間で10cm毎に変化している。利用者は、移動操作として、無線タグが付帯された対象物を、遠ざけたり又は近づけたりしたとする。このとき、図８からも明らかなとおり、10cm毎に、およそ3dBm程度の差が検知される。この差分を検知することによって、利用者が移動操作をした対象物を特定することができる。
【００５９】
以上、詳細に説明したように、本発明の携帯端末、プログラム及び方法によれば、複数の対象物それぞれに付帯された無線タグを一括して読み取ると共に、利用者による所望対象物の無線タグを特定することができる。
【００６０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６１】
１  携帯端末
１０  無線タグリーダ
１１  タグＩＤ記録部
１２  対象タグ判定部
２  無線タグ
【図１】
2015138533.tif 000003
【図２】
2015138533.tif 000004
【図３】
2015138533.tif 000005
【図４】
2015138533.tif 000006
【図５】
2015138533.tif 000007
【図６】
2015138533.tif 000008
【図７】
2015138533.tif 000009
【図８】
2015138533.tif 000010